(57)【要約】【課題】  広告の表示状態または非表示状態を容易に選択することが可能な広告用フレームを備えたコンテナの提供【解決手段】  天板２６を有する略直方体のコンテナ体２の上部の四つの端辺において、ヒンジ４ａ，４ｂ，４ｃ，４ｄにより回動自在に軸支されることによって、立設状態と、倒設状態とをとることが可能な広告用フレーム３ａ，３ｂ，３ｃ，３ｄと、立設状態において広告用フレーム３ａ，３ｂ，３ｃ，３ｄを互いに掛止する掛合部材５と、を備える。【選択図】    図１
2013014381.tif 000002
【特許請求の範囲】
【請求項１】
コンテナの上部において回動自在に軸支されることにより、立設状態と、倒設状態とをとることが可能な広告用フレームを備えたことを特徴とする広告用フレーム付きコンテナ。
【請求項２】
前記コンテナが略直方体であって、
前記広告用フレームが前記コンテナの上部の四つの端辺に設けられたことを特徴とする請求項１に記載の広告用フレーム付きコンテナ。
【請求項３】
前記広告用フレームの側辺に掛止部材を備えることにより、立設状態において四つの前記広告用フレームを互いに掛止することを特徴とする請求項２に記載の広告用フレーム付きコンテナ。
【請求項４】
上部受けレールと下部受けレールとを有することにより広告の差込みを案内し、組立分解自在に設けられる広告用フレームを備えることを特徴とする広告用フレーム付きコンテナ。
【請求項５】
前記コンテナが略直方体であって、
前記広告用フレームが前記コンテナの上部の四つの端辺に設けられたことを特徴とする請求項４に記載の広告用フレーム付きコンテナ。
【請求項６】
コンテナの上部に設けられたコンテナ本体取付けプレートと、
該取付けプレートに着脱自在に取り付けられる支柱取付けプレートと、
該支柱取付けプレートに固定される支柱と、
該支柱に着脱自在に横架される横材と、を有し、
前記支柱および前記横材に着脱自在に広告を設置することを特徴とする広告用フレーム付きコンテナ。
【請求項７】
前記コンテナが略直方体であって、
前記広告用フレームが前記コンテナの上部の四つの端辺に設けられたことを特徴とする請求項６に記載の広告用フレーム付きコンテナ。
【請求項８】
四つの前記広告用フレームのうち、長辺に位置して対向する二つの広告用フレームがターンバックルを介して連結された請求項２，５，７のいずれかに記載の広告用フレーム付きコンテナ。
【発明の詳細な説明】
【技術分野】
【０００１】
本発明は、収納式広告を備えるコンテナに関する。
【背景技術】
【０００２】
特許文献１に記載の発明は、運送会社にはリアルタイムな配車等の車輌管理を可能にし、広告主には通過ルート実績を提示することができるトラック移動看板広告システムを提供することを課題とし、広告主獲得に必要な要素の運行表を提示することと運行実績記録及び提示に必要な位置検出装置３をトラック１に備え、広告主の要望に応じて実績を提示できる管理センター４を設置したものである。
【先行技術文献】
【特許文献】
【０００３】
【特許文献１】特開２００９−８６１５２号公報
【発明の概要】
【発明が解決しようとする課題】
【０００４】
しかしながら、特許文献１の発明は、看板広告を付したトラックの運用に関するものであり、コンテナの上部を広告を設置する空間として有効利用するという意図があるものではない。
【０００５】
そこで本発明は、コンテナの上部を広告を設置する空間として有効利用し、その利便性の向上を図った広告用フレーム付きコンテナを提供することを課題とする。
【課題を解決するための手段】
【０００６】
上記課題に鑑み、請求項１の発明は、コンテナの上部において回動自在に軸支されることにより、立設状態と、倒設状態とをとることが可能な広告用フレームを備えたことを特徴とする広告用フレーム付きコンテナである。
【０００７】
本発明は、前記コンテナが略直方体であって、前記広告用フレームが前記コンテナの上部の四つの端辺に設けられたことを特徴とすることが好ましい。
【０００８】
このとき、前記広告用フレームの側辺に掛止部材を備えることにより、立設状態において四つの前記広告用フレームを互いに掛止することが好ましい。
【０００９】
前記広告用フレームとは、任意の広告を貼設や張設などにより設置可能な枠体のことである。ここでいう広告とは、商業的に用いられる広告看板のみならず、例えば案内図等の表示を広く含むものである。
【００１０】
前記コンテナは、例えば、前板、後板、左側板、右側板、底板、および天板を有する略直方体のコンテナが挙げられるが、その他の形状のコンテナを広く含む。例えば天板を有しないものや略円筒状のものであっても本発明は適用され得る。また、コンテナは輸送の他、設置状態における倉庫や仮設事務所、トイレ等、様々な用途に用いられるが、このようなコンテナの使用用途を問わず、本発明は適用可能である。
【００１１】
本発明は、上部受けレールと下部受けレールとを有することにより広告の差込みを案内し、組立分解自在に設けられる広告用フレームを備えることを特徴とする広告用フレーム付きコンテナである。
【００１２】
本発明は、コンテナの上部に設けられたコンテナ本体取付けプレートと、該取付けプレートに着脱自在に取り付けられる支柱取付けプレートと、該支柱取付けプレートに固定される支柱と、該支柱に着脱自在に横架される横材と、を有し、前記支柱および前記横材に着脱自在に広告を設置することを特徴とする広告用フレーム付きコンテナである。
【００１３】
これら本発明についても、前記コンテナが略直方体であって、前記広告用フレームが前記コンテナの上部の四つの端辺に設けられたことを特徴とすることが好ましい。
【００１４】
四つの前記広告用フレームのうち、長辺に位置して対向する二つの広告用フレームがターンバックルを介して連結されることが好ましい。
【発明の効果】
【００１５】
本発明の広告用フレーム付きコンテナによれば、コンテナの上部の空間を用いて広告を設置することができる。この広告を設置する広告用フレームが折り畳み可能なことにより、コンテナの移動等の必要な時は広告の表示を行わないこともできる。広告用フレームの設置は低コストかつ軽量に可能であり、また、折り畳みや分解の操作は簡易である。広告用フレームをコンテナの上部の四つの端辺に設けることとすれば、コンテナの全周の角度から視認可能に広告を設置することができ、また、四つの広告用フレームを互いに掛止または張設することにより、簡易な構造で立設状態に固縛することができる。
【図面の簡単な説明】
【００１６】
【図１】本発明の第１実施形態による広告用フレーム付きコンテナ１の広告用フレーム３ａ〜３ｄが立設状態の正面図である。
【図２】同実施形態の広告用フレーム付きコンテナ１の広告用フレーム３ａ〜３ｄが立設状態の背面図である。
【図３】同実施形態の広告用フレーム付きコンテナ１の広告用フレーム３ａ〜３ｄが立設状態の左側面図である。
【図４】同実施形態の広告用フレーム付きコンテナ１の広告用フレーム３ａ〜３ｄが立設状態の平面図である。
【図５】（ａ）は同実施形態の図１に示すヒンジ４ａのＡ部拡大図である。（ｂ）は掛合部材５のＢ部拡大図である。
【図６】同実施形態の広告用フレーム付きコンテナ１の広告用フレーム３ａ〜３ｄが倒設状態の背面図である。
【図７】同実施形態の広告用フレーム付きコンテナ１の広告用フレーム３ａ〜３ｄが倒設状態の平面図である。
【図８】同実施形態の広告用フレーム付きコンテナ１の広告用フレーム３ｄの折り畳みの状態を表す背面図である。
【図９】同実施形態の変形例の広告用フレーム３´を示す背面図である。
【図１０】本発明の第２実施形態による広告用フレーム付きコンテナ２０１の広告用フレーム２３０を組み立てた状態の正面図である。
【図１１】同実施形態の広告用フレーム付きコンテナ２０１の広告用フレーム２３０を組み立てた状態の背面図である。
【図１２】同実施形態の広告用フレーム付きコンテナ２０１の広告用フレーム２３０を組み立てた状態の左側面図である。
【図１３】同実施形態の広告用フレーム付きコンテナ２０１の広告用フレーム２３０を組み立てた状態の平面図である。
【図１４】同実施形態の広告用フレーム２３０を組み立てた状態の左側面図である。
【図１５】同実施形態の広告用フレーム付きコンテナ２０１の広告用フレーム２３０を分解して取り外した状態の平面図である。
【図１６】図１３における広告用フレーム２３０のＡ−Ａ断面図である。広告用フレーム２３０ｂおよびコンテナ２２０の下部の図示は省略している。
【図１７】本発明の第３実施形態による広告用フレーム付きコンテナ３０１の広告用フレーム３３０を組み立てた状態の正面図である。広告用フレーム３３０は組み立てた状態であり、コンテナ体３２０は上部のみを図示している。以下の図についても同様である。
【図１８】同実施形態の広告用フレーム付きコンテナ２０１の広告用フレーム３３０を組み立てた状態の左側面図である。
【図１９】同実施形態の広告用フレーム付きコンテナ２０１の広告用フレーム３３０を組み立てた状態の平面図である。
【図２０】同実施形態の広告用フレーム付きコンテナ２０１の広告用フレーム３３０を分解して取り外した状態の平面図である。
【図２１】図１９における広告用フレーム３３０のＢ−Ｂ断面図である。広告用フレーム３３０ｂおよびターンバックル３７５ｂの図示は省略している。
【図２２】図１９における広告用フレーム３３０のＣ−Ｃ断面図である。広告用フレーム３３０ｃおよびターンバックル３７５ｃ〜３７５ｆの図示は省略している。
【図２３】図１８において、広告用フレーム３３０ｃに広告シート３８０を取り付けた状態の図である。
【図２４】コンテナ脱着装置付車両１１に広告用フレーム付きコンテナ１が脱着される様子を示す左側面図である。
【発明を実施するための形態】
【００１７】
本発明の好適な一実施形態である広告用フレーム付きコンテナについて図面を参照して説明する。第１実施形態である広告用フレーム付きコンテナ１は、図１〜図８に示す通り、コンテナ体２に広告用フレーム３ａ，３ｂ，３ｃ，３ｄを回動自在に設けたものである。以下、各部について説明する。
【００１８】
コンテナ体２は、前板２１、後板２２、左側板２３、右側板２４、底板２５、および天板２６からなる略直方体のものである。前板２１には、コンテナ脱着装置付車両１１のアーム１２のフック１３と係脱自在な略Ｕ字状の移動用部材２７が設けられている。その他、コンテナ体２には、コンテナ脱着装置付車両のピンを備える固縛装置（図示略）に固縛するため、底板２５に設けられる例えば環状の被固縛部材（図示略）、前脚２８、後側ローラ２９、積載を円滑にする案内部材３０がそれぞれ設けられている。コンテナ１はコンテナ前後方向からコンテナ脱着装置付車両に積みおろしするものである。コンテナ１は、これには限定されず、移動用部材２７、前脚２８、後側ローラ２９や案内部材３０の脱着用装置を設けずにコンテナ脱着装置付車両の側面や後面からクレーン等を用いて積みおろしするものでも良い。
【００１９】
広告用フレーム３ａ，３ｂ，３ｃ，３ｄは、それぞれ、前板２１、後板２２、左側板２３、右側板２４の上端部において、ヒンジ４ａ，４ｂ，４ｃ，４ｄにより回動自在に軸支される。ヒンジ４ａとヒンジ４ｂは同じ高さに設けられ、ヒンジ４ｃ，４ｄはヒンジ４ａ，４ｂよりも高い位置に設けられる。また、ヒンジ４ｃはヒンジ４ｄよりも高い位置に設けられる。
【００２０】
ヒンジ４ａ，４ｂ，４ｃ，４ｄは、図４、図５（ａ）および図７に示す通り、それぞれ前板２１、後板２２、左側板２３、右側板２４の上端部に設けられる固定ブッシュ４３と、固定ブッシュ４３に嵌挿して固定される固定軸４１と、固定軸４１に回動自在に嵌挿され広告用フレーム３ａ，３ｂ，３ｃ，３ｄの下端部に固定される回動ブッシュ４２と、からなる。ヒンジ４ａ，４ｂ，４ｃ，４ｄはそれぞれ、一つの固定軸４１に対して適宜間隔で複数個が設けられる。このヒンジ４ａ，４ｂ，４ｃ，４ｄにより、広告用フレーム３ａ，３ｂ，３ｃ，３ｄは天板２６上で回動自在に設けられることとなる。なお、固定軸４１を固定ブッシュ４３に対して回動自在な回動軸として設け、回動ブッシュ４２をその回動軸に固定する固定ブッシュとして設ける等してもよい。
【００２１】
広告用フレーム３ａ，３ｂ，３ｃ，３ｄは、図７に示す通り、それぞれ枠体３１および広告用部材３２を備える。広告用部材３２は、枠体３１に固設される薄板状部材であり、これに適宜、広告を貼設することができる。広告用部材３２は、薄板状部材として別途設けなくとも、枠体３１に直接、広告板を設置することとしてもよい。広告は任意のものを選択することができ、案内表示等の使用用途により本発明の適用が妨げられることはない。
【００２２】
広告用フレーム３ａ，３ｂ，３ｃ，３ｄは、それぞれ掛合部材５を有する。掛合部材５は、図５（ｂ）に示す通り、掛止フック５１と掛止環５２からなる部材であって、広告用フレーム３ａ，３ｂ，３ｃ，３ｄを立設状態に保つためのものである。よって、掛止フック５１と掛止環５２はそれぞれ、広告用フレーム３ａ，３ｂ，３ｃ，３ｄのうち、立設状態において隣り合う側辺において、互いに掛合する位置に設けられる。広告用フレーム３ａ，３ｂ，３ｃ，３ｄの折り畳み状態についてもこれを固定するエビ金ハンドル等の部材（図示略）を用いる。
【００２３】
広告用フレーム付きコンテナ１の使用について説明する。広告表示をするときは、図１〜図４に示す通り、広告用フレーム付きコンテナ１の広告用フレーム３ａ，３ｂ，３ｃ，３ｄをヒンジ４ａ，４ｂ，４ｃ，４ｄの回動により立設させて固定する。固定は、広告用フレーム３ａ，３ｂ，３ｃ，３ｄのうち、隣り合う掛止フック５１と掛止環５２とからなる掛合部材５により行う（図５（ｂ）参照）。広告用フレーム３ａ，３ｂ，３ｃ，３ｄを折り畳むときは、掛合部材５の掛合を外し、広告用フレーム３ａ，３ｂを折り畳み、次に広告用フレーム３ｄを折り畳み、最後に広告用フレーム３ｃを折り畳む。これらの折り畳む順番は、ヒンジ４ａ，４ｂ，４ｃ，４ｄの取り付け高さの差によるものである。参考として広告用フレーム３ｄを折り畳む様子を図８に示す。広告用フレーム３ａ，３ｂ，３ｃ，３ｄを折り畳んだ状態では、コンテナ脱着装置付車両１１に広告用フレーム付きコンテナ１を搭載し移動することができる。このときには、図２４に示す通り、移動用部材２７にフック１３を掛け、アーム１２によって広告用フレーム付きコンテナ１を長手方向に移動させてコンテナ脱着装置付車両１１に広告用フレーム付きコンテナ１を搭載する。
【００２４】
広告用フレーム付きコンテナ１の変形例として、広告用フレーム３´の一つのみを設置する広告用フレーム付きコンテナ１´を説明する。図９に示す通り、広告用フレーム３´は、上述のものと同様にヒンジ４´によりコンテナ体２に回動自在に軸支されるものである。広告用フレーム３´は、折畳式支持骨３５により、立設状態で支持固定される。折畳式支持骨３５は、ヒンジ３６により広告用フレーム３´の水平部分に回動自在に軸支されている。折畳式支持骨３５は、その他、天板２６に回動自在に軸支されるヒンジ３７と、中間部に回動自在に軸支されるヒンジ３８とを有する。広告用フレーム３´を折り畳むときは、ヒンジ３６〜３８により折畳式支持骨３５とともに折り畳む。
【００２５】
広告用フレーム付きコンテナ１の効果について説明する。広告用フレーム付きコンテナ１によれば、コンテナ体２の上部空間を利用して広告を簡易に設置することができる。すなわち、広告を設置する広告用フレーム３ａ〜３ｄは折り畳み自在に構成されているので、広告を表示する際には、広告用フレーム３ａ〜３ｄを立設し、コンテナ移動時等に広告を収納したいときには、広告用フレーム３ａ〜３ｄを折り畳んで倒設すればよいため、広告をその都度取り外す必要がなく便利である。また、この折り畳みの操作には特別な器具を必要とすることもなく、簡易に行うことができる。さらに、移動用部材２７、前脚２８、後側ローラ２９や案内部材３０の脱着用装置を用いれば、広告用フレーム付きコンテナ１の移動を円滑に行うことができる。広告用フレーム付きコンテナ１は、広告用フレーム３ａ〜３ｄをコンテナ体２の上部において四方向に設置するので、全方位から広告を視認可能であり、広告の機能を高めることができる。また、掛合部材５により、広告用フレーム３ａ〜３ｄを互いに掛止することにより、簡易な構造で立設状態に固縛することができる。
【００２６】
第２実施形態について図１０〜図１６を用いて説明する。第２実施形態の広告用フレーム付きコンテナ２０１は、広告用フレーム２３０への差込みにより広告体２８０（図１６参照）を自在に交換するとともに、広告用フレーム２３０を組立分解自在にすることにより収納を容易とするものである。本実施形態による広告用フレーム付きコンテナ２０１のうちコンテナ体２２０は、第１実施形態の広告用フレーム付きコンテナ１のコンテナ体２と共通するため部品番号を２００番台とし、共通する部品の説明はこれを援用する。
【００２７】
広告用フレーム２３０は、広告体２８０の上辺を受ける上部受けレール２４０と、広告体の下辺を受ける下部受けレール２５０と、上下継材２６０とを備え、コンテナ２０１の天板２２６の四つの端辺に設けられる。この四つの端辺に設けられる広告用フレーム２３０をそれぞれ広告用フレーム２３０ａ，２３０ｂ，２３０ｃ，２３０ｄとする。広告用フレーム２３０を構成する各部材はボルト締結により組立分解自在に構成されている。
【００２８】
上部受けレール２４０は、広告用フレーム２３０の組立時において下方が開口するコ字状の断面形状を有するレール状の部材である。上部受けレール２４０は、図１０、図１２に示す通り、コンテナ体２２０の天板２２６の長辺に位置する上部受けレール２４１，２４２と、天板２２６の短辺に位置する上部受けレール２４３がある。上部受けレール２４１，２４２はそれぞれ組立分解自在に連結する対称形の部材である。
【００２９】
下部受けレール２５０は、広告用フレーム２３０の組立時において上方が開口するコ字状の断面形状を有するレール状の部材である。下部受けレール２５０は、図１０、図１１、図１２に示す通り、天板２２６の長辺に位置する下部受けレール２５１，２５２と、天板２２６の短辺に位置する下部受けレール２５３，２５４がある。下部受けレール２５１，２５２はそれぞれ組立分解自在に連結する対称形の部材である。
【００３０】
上下継材２６０は、上部受けレール２４０と下部受けレール２５０とを組立分解自在に連結する部材である。上下継材２６０は、図１０〜図１３に示す通り、天板２２６の四つの角部に位置し上下方向に延び出す角部上下継材２６１と、天板２２６の長辺の中間部に位置し上下方向に延び出す中間上下継材２６２，２６３（図１３参照）がある。角部上下継材２６１はＬ字状の横断面形状を有し、上部において上部受けレール２４１，２４２および上部受けレール２４３を組立分解自在に連結し、下部において下部受けレール２５１，２５２および下部受けレール２５３，２５４を組立分解自在に連結する。中間上下継材２６２，２６３は、上部において上部受けレール２４１および上部受けレール２４２を組立分解自在に連結し、下部において下部受けレール２５１および下部受けレール２５２を組立分解自在に連結する。中間上下継材２６２，２６３の上部にはターンバックル連結プレート２６５が固定される（図１６参照）。
【００３１】
コンテナ体２２０の天板２２６の端辺には、図１５に示すように、コンテナ本体取付けプレート２７２が固定され、このコンテナ本体取付けプレート２７２に受け台２７１を介して広告用フレーム２３０が組立分解自在に設置される。受け台２７１には、下部受けレール２５０、上下継材２６０が組立分解自在に連結される（図１６参照）。
【００３２】
コンテナ体２２０の天板２２６の中央には、図１５に示すように、ターンバックル取付け部材２７３が固定され、このターンバックル取付け部材２７３にターンバックル連結プレート２７４を介して二つのターンバックル２７５が組立分解自在に斜めに連結される（図１６参照）。ターンバックル２７５の他端は中間上下継材２６２，２６３のターンバックル連結プレート２６５に組立自在に斜めに連結される。ターンバックル２７５は、他の広告用フレーム２３０の構成部材の組立後に取り付け、長さを微調整して広告用フレーム２３０の形状を維持し、強度補強を図るとよい。なお、ターンバックルとは、張力を調節するための周知の引締め用ねじ金具のことである。
【００３３】
広告用フレーム付きコンテナ２０１の効果について説明する。広告用フレーム付きコンテナ２０１によれば、コンテナ体２２０の上部空間を利用して広告を簡易に設置することができる。すなわち、広告を設置する広告用フレーム２３０は組立分解自在に構成されているので、広告を表示する際には、広告用フレーム２３０を組み立てて広告体２８０を上部受けレール２４０と下部受けレール２５０の間にスライドさせて差し込み、コンテナ移動時等は、広告用フレーム２３０を分解して収納すればよい。この組立分解はボルト締結により簡易に行うことができる。また、広告用フレーム２３０自体の組立分解を伴わずに広告体２８０のみをスライドさせて交換することができるため、任意の広告体２８０に換装することが容易である。広告用フレーム付きコンテナ２０１は、広告用フレーム２３０ａ，２３０ｂ，２３０ｃ，２３０ｄをコンテナ体２２０の上部において四方向に設置するので、全方位から広告を視認可能であり、広告の機能を高めることができる。また、ターンバックル２７５により、長辺に位置する広告用フレーム２３０ａ，２３０ｂの設置強度を補強することができる。
【００３４】
第３実施形態について図１７〜図２３を用いて説明する。第３実施形態の広告用フレーム付きコンテナ３０１は、広告用フレーム３３０への設置により任意の広告体３８０に交換するとともに、広告用フレーム３３０の組立分解を可能とするものである。第２実施形態の広告用フレーム付きコンテナ２０１においては広告用フレーム２３０の上部受けレール２４０と下部受けレール２５０の間に広告体２８０をスライドさせて換装することとしているところ、広告用フレーム付きコンテナ３０１においては広告用フレーム３３０の支柱３４０および横材３５０を利用して広告体３８０を設置するため、例えばシート状の広告を張設する場合に使用される。本実施形態による広告用フレーム付きコンテナ３０１のうちコンテナ体３２０は、第１実施形態の広告用フレーム付きコンテナ１のコンテナ体２と共通するため部品番号を３００番台とし、説明はこれを援用する。
【００３５】
広告用フレーム３３０は、コンテナ体３２０の天板３２６の四つの端辺に立設される支柱３４０と、支柱３４０に着脱自在に横架される横材３５０とを備える。天板３２６の四つの端辺に設けられる広告用フレーム３３０をそれぞれ広告用フレーム３３０ａ，３３０ｂ，３３０ｃ，３３０ｄとする（図１９参照）。
【００３６】
広告用フレーム３３０ａ，３３０ｂ，３３０ｃ，３３０ｄは、コンテナ体３２０の天板３２６において、それぞれ、前板３２１、後板３２２、左側板３２３、右側板３２４に対応する端辺に着脱自在に立設され、任意の広告体３８０を設置するための枠状部材である。それぞれの広告用フレーム３３０は、天板３２６の端辺に立設される支柱３４０と、それぞれの支柱３４０の間に横架される横材３５０とを備える。
【００３７】
コンテナ体３２０の天板３２６には、図２０に示す通り、コンテナ本体取付けプレート３７２が固定される。コンテナ本体取付けプレート３７２は天板３２６の四つの端辺のうち、二つの長辺それぞれに四つずつ所定間隔で設けられ、二つの短辺それぞれに三つずつ所定間隔で設けられる。天板３２６の四つの角には二つずつコンテナ本体取付けプレート３７２が設けられることになる。
【００３８】
支柱３４０の下端には支柱取付けプレート３７１が設けられ、この支柱取付けプレート３７１を天板３２６に設けられたコンテナ本体取付けプレート３７２に固定することにより（図２０参照）、広告用フレーム３３０はコンテナ体３２０に組立分解自在に組み立てられる。立設された支柱３４０の上部と下部には横材３５０が横架される。天板３２６の四つの角には二つずつの支柱３４０が隣設されるが、これらの上部は支柱連結部材３７６により互いに連結される（図１７参照）。
【００３９】
コンテナ体３２０の天板３２６の中央には、図２０に示す通り、ターンバックル取付け部材３７３が二つ固定される。また、該当する支柱３４０にはターンバックル連結プレート３４１が設けられる。これらのターンバックル取付け部材３７３とターンバックル連結プレート３４１の間にターンバックル３７５を組立分解自在に連結する。ターンバックル取付け部材３７３にはターンバックル連結プレート３７４を介してターンバックル３７５を連結する。ターンバックル３７５は、図１９に示す通り、二つのターンバックル取付け部材３７３から、広告用フレーム３３０ａ，３３０ｂ，３３０ｃ，３３０ｄに向かって設けられる。広告用フレーム３３０ａにはターンバックル３７５ａが、広告用フレーム３３０ｂにはターンバックル３７５ｂが、広告用フレーム３３０ｃにはターンバックル３７５ｃ，３７５ｅが、広告用フレーム３３０ｄにはターンバックル３７５ｄ，３７５ｆがそれぞれ組立自在に連結される。図２１にターンバックル３７５ａ，３７５ｂの連結の様子を、図２２にターンバックル３７５ｅ，３７５ｆの連結の様子を、それぞれ示す。ターンバックル３７５は、他の広告用フレーム３３０の構成部材の組立後に取り付け、長さを微調整して広告用フレーム３３０の形状を維持し、強度補強を図るとよい。
【００４０】
広告用フレーム３３０ａ，３３０ｂ，３３０ｃ，３３０ｄには、任意の広告体３８０を支柱３４０および横材３５０を利用して設置する。例えば、図２３のようにシート状の広告体３８０の端辺に穴を複数個設け、紐で括る等して設置することが挙げられる。
【００４１】
広告用フレーム付きコンテナ３０１の効果について説明する。広告用フレーム付きコンテナ３０１によれば、コンテナ体３２０の上部空間を利用して広告を簡易に設置することができる。すなわち、広告を設置する広告用フレーム３３０は組立分解自在に構成されているので、広告を表示する際には、広告用フレーム３３０を組み立てて広告体３８０を設置し、コンテナ移動時等は、広告用フレーム３３０を分解して収納すればよい。この組立分解はボルト締結により簡易に行うことができる。また、広告用フレーム３３０自体の組立分解を伴わずに広告体３８０のみ交換することができるため、任意の広告体３８０に換装することが容易である。広告用フレーム付きコンテナ３０１は、広告用フレーム３３０ａ，３３０ｂ，３３０ｃ，３３０ｄをコンテナ体３２０の上部において四方向に設置するので、全方位から広告を視認可能であり、広告の広告機能を高めることができる。また、ターンバックル３７５により、設置強度を補強することができる。
【００４２】
なお、本発明の実施の形態は、上記実施形態に何ら限定されるものではなく、本発明の技術的思想を逸脱しない範囲において、当該技術的範囲に属する限り種々の改変等の形態を採り得る。
【符号の説明】
【００４３】
１・・・広告用フレーム付きコンテナ
２・・・コンテナ体
３ａ〜３ｄ・・・広告用フレーム
４ａ〜４ｄ・・・ヒンジ
４１・・・回動軸
４２・・・回転ブッシュ
４３・・・固定ブッシュ
５・・・掛合部材
５１・・・掛止フック
５２・・・掛止環
３´・・・広告用フレーム
４´・・・ヒンジ
３５・・・折畳式支持骨
２０１・・・広告用フレーム付きコンテナ
２２０・・・コンテナ体
２３０・・・広告用フレーム
２４０，２４１，２４２，２４３・・・上部受けレール
２５０，２５１，２５２，２５３，２５４・・・下部受けレール
２６０・・・上下継材
２６１・・・角部上下継材
２６２，２６３・・・中間上下継材
２７１・・・受け台
２７２・・・コンテナ本体取付けプレート
２７５・・・ターンバックル
２８０・・・広告体
３０１・・・広告用フレーム付きコンテナ
３２０・・・コンテナ体
３３０・・・広告用フレーム
３４０・・・支柱
３５０・・・横材
３７１・・・支柱取付けプレート
３７２・・・コンテナ本体取付けプレート
３７５・・・ターンバックル
３８０・・・広告体
【図１】
2013014381.tif 000003
【図２】
2013014381.tif 000004
【図３】
2013014381.tif 000005
【図４】
2013014381.tif 000006
【図５】
2013014381.tif 000007
【図６】
2013014381.tif 000008
【図７】
2013014381.tif 000009
【図８】
2013014381.tif 000010
【図９】
2013014381.tif 000011
【図１０】
2013014381.tif 000012
【図１１】
2013014381.tif 000013
【図１２】
2013014381.tif 000014
【図１３】
2013014381.tif 000015
【図１４】
2013014381.tif 000016
【図１５】
2013014381.tif 000017
【図１６】
2013014381.tif 000018
【図１７】
2013014381.tif 000019
【図１８】
2013014381.tif 000020
【図１９】
2013014381.tif 000021
【図２０】
2013014381.tif 000022
【図２１】
2013014381.tif 000023
【図２２】
2013014381.tif 000024
【図２３】
2013014381.tif 000025
【図２４】
2013014381.tif 000026